(57)【要約】【課題】櫛や指を挟むことがなく、安全性や鋏の保護効果に優れ、なおかつ、荒刈りと仕上げ刈りの要求に対して１本の理美容鋏で対応することができる理美容鋏を実現して提供することを課題としている。【解決手段】理美容鋏１を、使用者が利き手で鋏を持ったときに動刃２が上、静刃３が下になるように動刃２と静刃３が組み合わされており、さらに、静刃３の厚みが動刃２の厚みよりも薄く設定された構造にした。【選択図】図１
2017046769.tif 000002
【特許請求の範囲】
【請求項１】
使用者が利き手で鋏を持ったときに動刃（２）が上、静刃（３）が下になるように動刃（２）と静刃（３）が組み合わされており、さらに、前記静刃（３）の厚みが動刃（２）の厚みよりも薄く設定された理美容鋏。
【請求項２】
前記静刃の刃面（３ｉ）を平坦な面で、前記動刃の刃面（２ｉ）を長手直角断面において凸となる曲面でそれぞれ形成して前記動刃（２）と静刃（３）に厚み差を生じさせた請求項１に記載の理美容鋏。
【請求項３】
前記動刃（２）と静刃（３）を連結した要（４）の位置からハンドルに至る領域において前記動刃（２）と静刃（３）間に触点が存在しない鋏にした請求項１又は２に記載の理美容鋏。
【発明の詳細な説明】
【技術分野】
【０００１】
本発明は、整髪作業の安全性を高め、さらに、髪の荒刈りと仕上げ刈りの両方に対応することも可能にした理美容鋏に関する。
【背景技術】
【０００２】
操作性を改善した理美容鋏として、下記特許文献１に開示されたものが知られている。その特許文献１の理美容鋏は、動刃と静刃のピボット結合点（要）の近傍において動刃と静刃の内面を対称的に捩れた摺接面にし、さらに、要の軸線を、水平にした鋏を側面から見た状態で垂直な軸に対して傾斜させ、なおかつ、動刃と静刃の位置関係を一般的な理美容鋏とは正反対にしている。
【０００３】
一般的な理美容鋏は、使用者が利き手で鋏を持ったときに動刃が下、静刃が上になるように動刃と静刃が組み合わされているのに対し、特許文献１の理美容鋏は、動刃が上、静刃が下になっている。
【先行技術文献】
【特許文献】
【０００４】
【特許文献１】特公昭４８−２９７５２号公報
【発明の概要】
【発明が解決しようとする課題】
【０００５】
理美容師による整髪は、荒刈り用の理美容鋏と仕上げ刈り用の理美容鋏を使い分けて行うことが通常行われている。
【０００６】
仕上げ刈り用の理美容鋏は、荒刈り用の理美容鋏に比べて動刃、静刃の厚みが薄い。頭髪に櫛を当て、その櫛の表面に仕上げ刈り用の理美容鋏を沿わせて髪をカットすると、動刃、静刃の厚みが薄い分、髪を短くきれいに揃えて仕上げることができる。
【０００７】
この仕上げ刈りや荒刈りを、動刃が静刃の下にある一般的な理美容鋏を用いて行うと、動刃が櫛の表面に沿って動くため、櫛を挟む（噛む）状況が発生し易い。
【０００８】
その挟み込みにより、櫛が削られたり、鋏の刃が傷むなどの不具合が生じる。刃の厚みが薄い仕上げ刈り用の理美容鋏は特に、刃が傷み易く、櫛を噛んだ部分が欠けることもある。
【０００９】
また、理美容師による整髪では、髪を指で挟み、鋏を指に沿わせて髪をカットすることもあり、この場合には、鋏で指を挟んで傷つけることがある。
【００１０】
このほか、荒刈りと仕上げ刈りは、上述したように鋏を使い分ける方法が通常採られているが、鋏の持ち替えが面倒なために、仕上げ刈り用の理美容鋏で荒刈りと仕上げ刈りを行うこともときおり行われており、これが原因で、刃の切れ味が鈍って理美容鋏の寿命が低下する問題も発生している。
【００１１】
なお、荒刈り用の理美容鋏で仕上げ刈りを行うことはできないわけではないが、この方法や特許文献１が述べているように、下側の刃を櫛から少し浮かせて髪をカットする方法では、刃厚や浮かせ量の不可避の変動が影響して髪を短くきれいに整えることができない。
【００１２】
この発明は、櫛や指を挟むことがなく、安全性や鋏の保護効果に優れ、なおかつ、荒刈りと仕上げ刈りの要求に対して１本の理美容鋏で対応することができる理美容鋏を実現して提供することを課題としている。
【課題を解決するための手段】
【００１３】
この発明の理美容鋏は、使用者が利き手で鋏を持ったときに動刃が上、静刃が下になるように動刃と静刃が組み合わされ、さらに、前記静刃の厚みが動刃の厚みよりも薄く設定されたものである。
【００１４】
ここで言う静刃と動刃の厚みは、少なくとも刃面（刃表）が存在する部分の厚みであって、静刃と動刃の厚みの比較が、互いの刃が摺り合う位置、即ち、刃線に沿った刃元からの距離が等しい位置、かつ、刃線から峰に向かう距離も等しい位置でなされたものとする。
【００１５】
その比較位置での静刃、動刃の峰部の厚みは等しくてもよい。峰部の厚みを等しくするものについては、刃面が存在する領域の厚みに差をつける。
【００１６】
動刃と静刃は、どちらも刃元から刃先に向かって厚みが変動する。ここで指定した位置での厚みの比較であれば、上記刃元から刃先に向かう厚みの変動の影響を受けず、刃線に沿った各域において動刃と静刃の厚みに差がつく。
【００１７】
なお、静刃は、長手直角断面において刃面を平坦な面にするのがよい。一方、動刃は、長手直角断面での刃面形状を凸曲面にするのがよい。
【００１８】
この刃面形状の違いを利用して静刃と動刃の比較位置での厚みに差をつけることができる。また、一般的な理美容鋏は、動刃、静刃とも長手直角断面での刃面形状を凸曲面にしており、その凸曲面の曲率に差をつける（静刃の刃面を平面に近づける）構造でも静刃と動刃の比較位置での厚みに差をつけることができる。
【００１９】
その厚み差は、動刃の比較位置での厚みに対して静刃の比較位置での厚みを少なくとも２割程度薄くするのがよい。
【００２０】
また、動刃は、その厚みを、荒刈り用理美容鋏で一般的に設定されている厚みよりも厚くするのがよい。厚みの増加量は、特に限定されないが、一般的な荒刈り用理美容鋏の厚みに対して１割程度の厚み増でも構わない。
【００２１】
このほか、理美容鋏においては、動刃と静刃の少なくとも一方について、要よりもハンドル側の裏面（内面）を凹ませるなどして触点を無くしたり、触点面積を減少させたりして動刃の動きを軽くすることが一部で行われている。
【００２２】
この発明の理美容鋏、特に、動刃厚みを一般的な設計値よりも大きくして耐久性向上を図った理美容鋏については、動刃の動きを軽くして使い勝手を良くする上でその処理（無触点化や触点面積の減少）が有効になる。
【発明の効果】
【００２３】
この発明の理美容鋏は、静刃に対して動刃が上に配置されており、これにより、静刃が櫛の表面や理美容師の指に接することになるため、静刃を櫛や理美容師の指に密着させても櫛や理美容師の指が誤って挟まれる事態が発生しない。
【００２４】
そのために、整髪作業の安全性が高まり、櫛や指や鋏の刃を傷つけることが無くなる。
【００２５】
また、櫛に添わせる静刃の厚みが動刃の厚みよりも薄いので、静刃を仕上げ刈りに適した刃厚を持つ刃にし、その静刃を櫛に密着させて髪をカットすることができ、短くて毛先がきれいに整った仕上げが可能となる。
【００２６】
さらに、静刃の上にある動刃は、仕上げ精度には影響を及ぼさない。この動刃は、静刃と擦れ合って髪をカットするまでは髪を静刃に向かって押し動かし、なおかつ、カットされた髪を振り落とす働きをするので、髪の接触が静刃よりも多く、静刃に比べて刃先の負担が大きくなる。
【００２７】
この発明の理美容鋏は、その刃先の負担が大きい動刃の厚みが静刃の厚みよも厚いため、動刃、静刃が共に厚みの薄い従来の仕上げ刈り用理美容鋏に比べて負荷に耐える能力が高い。従って、荒刈りを行なっても刃の傷みや切れ味の低下を生じ難く、同一理美容鋏で仕上げ刈りと荒刈りの両方に対応することが可能になる。
【００２８】
なお、静刃の刃面を平坦な面にした理美容鋏は、静刃の刃面を櫛の表面に沿わせ易く、髪をカットする位置のばらつきを抑えて仕上げ刈りの作業性と作業の質を向上させることができる。
【００２９】
また、要よりもハンドル側で刃の裏面を凹ませて動刃と静刃の触点をなくしたり、触点面積を減少させたりしたものは、動刃の重量が大きくても動刃の動きを軽くすることができ、鋏の使い勝手が良くなる。
【図面の簡単な説明】
【００３０】
【図１】この発明の理美容鋏の一例を示す平面図である。
【図２】図１の理美容鋏の側面図である。
【図３】図２のIII−III線に沿った拡大断面図である。
【図４】図１のIV−IV線に沿った拡大断面図である。
【図５】図２のIII−III線に沿った位置の断面の変形例を示す図である。
【発明を実施するための形態】
【００３１】
以下、添付図面の図１〜図５に基づいて、この発明の理美容鋏の実施の形態を説明する。
【００３２】
図１に示すように、例示の理美容鋏１は、使用者が利き手でその鋏を持ったときに、動刃２が上、静刃３が下になるように動刃２と静刃３が組み合わされている。
【００３３】
４は、動刃２と静刃３を連結した要である。例示の理美容鋏１の要４は、静刃３で引き留めたピボット軸４ａ（図４参照）と、そのピボット軸に螺合させる調整ナット４ｂと、その調整ナットに締め付けられて動刃２と静刃３の摺動面の摩擦抵抗を変化させる調整用ばね板４ｃとで構成されている。
【００３４】
ピボット軸４ａは、先端部が動刃２の軸孔４ｄを貫通しており、その貫通した先端部に調整ナット４ｂを螺合させている。図示のピボット軸４ａは、静刃３の刃元３ｃよりもハンドル３ｆ側の裏面（図４参照）に立設されているが、そのピボット軸は、動刃を貫通して静刃に設けられたねじ孔にねじ込まれる頭部付きのねじであっても構わない。
【００３５】
図示の理美容鋏１の静刃３は、その刃の厚みを動刃２の厚みよりも薄くしている。動刃２と静刃３の厚みの比較は、既述の通り、互いの刃が摺り合う位置、即ち、刃線２ａ（又は３ａ）に沿った刃元２ｃ（又は３ｃ）からの距離が等しい位置（各刃の刃線２ａ、３ａからの刃線直角方向の距離も等しい位置）でなされたものにして刃元２ｃ（又は３ｃ）から刃先２ｄ（又は３ｄ）に至る各域での静刃厚みを動刃厚みよりも薄くする。
【００３６】
例示の理美容鋏１における動刃２と静刃３の厚み差は、図３に示すように、静刃３の刃面３ｉを平坦な面にし、一方、動刃２の刃面２ｉは凸曲面となすことによって生じさせている。
【００３７】
図５に示すように、刃面２ｉ，３ｉを共に凸曲面にし、その刃面２ｉ，３ｉの曲率を異ならせる（刃面２ｉを刃面３ｉよりも曲率が小さくて平面に近い形状にする）設計でも静刃３の厚みを動刃２の厚みよりも薄くすることができる。
【００３８】
また、例示の理美容鋏１は、動刃２と静刃３の峰２ｂ、３ｂについては、各比較位置での厚みを等しくしているが、静刃の峰２ｂの比較位置での厚みを動刃の峰３ｂの厚みよりも薄くしてもよく、この構造によれば、刃面２ｉ，３ｉを同一断面形状にして動刃と静刃の厚みに差をつけることができる。
【００３９】
図３の２ｅ，３ｅは、動刃２と静刃３の裏スキ面、図１、図４の２ｆ、３ｆは各刃のハンドル、２ｇはヒットポイント２ｈを有する動刃のリング、３ｇは指掛３ｈを有する静刃のリングである。
【００４０】
例示の理美容鋏１は、図２、図４に示すように、要４の設置部からハンドル部に至る部分において動刃２、静刃３の裏面（内面）２ｊ、３ｊを離反させて触点をなくしており、触点が存在する鋏に比べて動刃２の動きが軽くなっている。
【実施例】
【００４１】
図１に示した構造の理美容鋏を試作した。その理美容鋏は、図１、図２に示すように、動刃２の全長Ｌ＝１６．５ｍｍ、刃元２ｃでの動刃幅ｗ１＝１４ｍｍ、刃元３ｃでの静刃幅ｗ２＝１４ｍｍ、動刃２の刃面２ｉ部の最大部厚みｄ１＝３．５ｍｍ、静刃３の刃面３ｉ部の最大部厚みｄ２＝２．８ｍｍ（動刃厚みの８０％）にした。動刃２と静刃３の刃面部の厚みは刃元が最大となっている。
【００４２】
荒刈り用の理美容鋏の場合、動刃の長さが同程度のものについては、刃元における最大部厚みが３．２ｍｍ程度に設計されているものが多い。その設計の鋏に比べて、動刃の厚みは１割弱増加したものになっている。
【００４３】
この試作品を使用して同一鋏で荒刈りと仕上げ刈りを行なった。その結果、整髪の仕上がり状態は仕上げ専用の理美容鋏（比較品）を使用したときと遜色がなかった。
【００４４】
また、鋏で櫛や指を挟む事態が起こらなかった。
さらに、仕上げ専用の理美容鋏と同程度の頻度で荒刈りと仕上げ刈りを行って３ヶ月経過後に動刃、静刃の切れ味を比較した結果、試作品は、切れ味の低下が比較品に比べて少なかった。
【符号の説明】
【００４５】
１          理美容鋏
２          動刃
３          静刃
２ａ，３ａ  刃線
２ｂ，３ｂ  峰
２ｃ，３ｃ  刃元
２ｄ，３ｄ  刃先
２ｅ，３ｅ  裏スキ面
２ｆ，３ｆ  ハンドル
２ｇ，３ｇ  リング
２ｈ        ヒットポイント
３ｈ        指掛
２ｉ，３ｉ  刃面
２ｊ        動刃の触点除去部の裏面
３ｊ        静刃の触点除去部の裏面
４          要
４ａ        ピボット軸
４ｂ        調整ナット
４ｃ        調整用板ばね
４ｄ        軸孔
【図１】
2017046769.tif 000003
【図２】
2017046769.tif 000004
【図３】
2017046769.tif 000005
【図４】
2017046769.tif 000006
【図５】
2017046769.tif 000007